(57)【特許請求の範囲】
【請求項１】
エラー訂正符号化されたデータを再生し、再生信号を等化器を介して上記エラー訂正符号化の復号手段を含む再生信号処理回路に供給するようにしたディジタル信号再生回路において、
上記等化器に対する等化パラメータを制御することにより、上記等化器の特性を自動的に最適なものに制御するための制御手段が設けられ、
上記制御手段は、上記復号手段で得られたエラー数を取込み、上記等化器の特性が最適に近づくに従って、評価値を、連続性エラー数、単独エラー数と順次切り替え、上記切り替えられた評価値に基づいて等化パラメータを制御することを特徴とするディジタル信号再生回路。
【請求項２】
請求項１において、
再生信号は、所定長のデータ毎にシンクが付加されたものであり、上記シンクを検出するシンク検出手段が設けられ、上記等化器の特性が最適に近づくに従って、評価値を、上記シンク検出手段からの検出シンク数、上記連続性エラー数、上記単独エラー数と順次切り替えることを特徴とするディジタル信号再生回路。
【請求項３】
請求項１において、
山登り制御によって、等化器に対する等化パラメータを制御するようにしたことを特徴とするディジタル信号再生回路。
【請求項４】
請求項１において、
連続性エラー数として、単独エラー数をも含む全エラー数を使用することを特徴とするディジタル信号再生回路。
【請求項５】
エラー訂正符号化されたデータを再生し、再生信号を等化器を介して上記エラー訂正符号化の復号手段を含む再生信号処理回路に供給するようにしたディジタル信号再生方法において、
上記等化器に対する等化パラメータを制御することにより、上記等化器の特性を自動的に最適なものに制御するための制御方法であって、
上記制御方法は、上記エラー訂正符号の復号により得られたエラー数を取込み、上記等化器の特性が最適に近づくに従って、評価値を、連続性エラー数、単独エラー数と順次切り替え、上記切り替えられた評価値に基づいて等化パラメータを制御することを特徴とするディジタル信号再生方法。
【請求項６】
請求項５において、
再生信号は、所定長のデータ毎にシンクが付加されたものであり、上記シンクを検出するシンク検出手段が設けられ、上記等化器の特性が最適に近づくに従って、評価値を、上記シンク検出手段からの検出シンク数、上記連続性エラー数、上記単独エラー数と順次切り替えることを特徴とするディジタル信号再生方法。
【請求項７】
請求項５において、
山登り制御によって、等化器に対する等化パラメータを制御するようにしたことを特徴とするディジタル信号再生方法。
【請求項８】
請求項５において、
連続性エラー数として、単独エラー数をも含む全エラー数を使用することを特徴とするディジタル信号再生方法。
【発明の詳細な説明】
【０００１】
【発明の属する技術分野】
この発明は、例えばテープ上に記録されたディジタル信号を再生するディジタル信号再生回路および再生方法、特に、自動調整可能な等化器および自動調整方法に関する。
【０００２】
【従来の技術】
ディジタルＶＴＲのようディジタル磁気記録／再生において、磁気記録の高密度化、エラーレートの向上のために、再生信号を等化器を通すことが知られている。さらに、等化器の特性を自動的に最適に制御する構成も知られている。また、ビタビ・アルゴリズムを利用して、非線形歪を除去することが提案されている。等化器の自動調整方法として、再生信号のエラーレートを求め、エラーレートを最小とするような制御信号を生成し、この制御信号によって、等化器の振幅特性、位相特性を制御することが考えられている。
【０００３】
エラーレートに基づいて等化器の特性を自動的に調整する方式では、等化器の特性を最適なものに調整するために、エラーレートの検出精度を高くする必要がある。言い換えると、エラーレートを検出するための評価値として何を使用するかが問題となる。通常、ディジタルＶＴＲ等では、記録／再生時のエラー対策のために、エラー訂正符号化を行っている。従って、エラー訂正符号の復号結果、例えばエラー総数からエラーレートを検出することができる。
【０００４】
【発明が解決しようとする課題】
等化器の等化誤差は、基本的にはランダムエラーを生じさせると考えられる。その意味では、等化誤差が比較的少ない領域では、１シンボル単独エラー数に基づいて等化器の特性を制御することが好ましい。しかしながら、本願発明者の測定、シュミュレーションによると、等化誤差が比較的少ない領域から等化誤差を増すに従って、除々に連続性のエラーが増加し、単独エラー数を連続性のエラー数が上回る。つまり、この領域では、単独エラー数よりも連続性エラー数の方を評価値として使用することによって、等化誤差の検出感度をより高くすることが可能である。
【０００５】
さらに、等化誤差が大きくなると、殆どがコードエラー（エラー訂正符号によっては訂正不能なほどエラーが発生すること）となり、等化誤差の増大に対する連続性エラー数の増大の変化が鈍くなる。従って、この状態では、エラー訂正符号の復号の結果を評価値として使用しても、等化誤差を正確に検出できず、等化器の自動調整を良好になしえない問題が生じる。また、磁気テープの傷等で発生するドロップアウト、ヘッドクロッグに代表されるようなバーストエラーは、どの領域においても等化誤差の評価を誤らせる問題がある。
【０００６】
従って、この発明の目的は、等化器の特性を自動調整する場合に、自動調整の段階に応じて最適な評価値を使用することによって、等化誤差の低減を図ることができるディジタル信号再生回路および再生方法を提供することにある。
【０００７】
【課題を解決するための手段】
この発明は、エラー訂正符号化されたデータを再生し、再生信号を等化器を介してエラー訂正符号化の復号手段を含む再生信号処理回路に供給するようにしたディジタル信号再生回路において、
等化器に対する等化パラメータを制御することにより、等化器の特性を自動的に最適なものに制御するための制御手段が設けられ、
制御手段は、復号手段で得られたエラー数を取込み、等化器の特性が最適に近づくに従って、評価値を、連続性エラー数、単独エラー数と順次切り替え、切り替えられた評価値に基づいて等化パラメータを制御することを特徴とするディジタル信号再生回路である。また、この発明は、上述のように、評価値を切り替え、切り替えられた評価値に基づいて等化パラメータを制御することを特徴とするディジタル信号再生方法である。
【０００８】
等化器の等化誤差が少ない場合では、エラー訂正符号により訂正された単独エラー数を評価値として使用する。また、等化誤差がある程度多い場合には、連続性エラー数の等化誤差に対する変化が大きいので、連続性エラー数を使用する。このように、等化誤差の状態に応じて、感度が最も高い評価値を使用するように切り替えることができ、最終的に等化誤差を最小限とすることができる。
【０００９】
【発明の実施の形態】
以下、この発明の一実施例について図面を参照して説明する。図１は、この発明の一実施例の構成を示す。磁気ヘッド１により磁気テープ２から再生された再生信号が再生アンプ３を介して等化器４に供給される。等化器４は、振幅等化器４ａおよび位相等化器４ｂで構成される。等化器４としては、ＰＲ４（Ｐａｒｔｉａｌ  Ｒｅｓｐｏｎｓｅ  ｃｌａｓｓ  ４）、積分等化器等を使用できる。後述するように、ＣＰＵ１１からの等化パラメータによって、振幅等化器４ａの振幅対周波数特性、位相等化器４ｂの位相対周波数特性が制御される。ＰＲ４の場合であれば、位相リニアのコサイン等化器を使用し、ナイキスト周波数を中心としてその上下の周波数帯のゲインを変更して振幅特性が制御され、また、電磁変換系の位相ひずみを補正するように位相特性が変更される。なお、等化器４の特性を制御する場合に、振幅および位相の少なくとも一方を制御することによっても、等化誤差を低減することが可能である。
【００１０】
等化器４の出力信号がＡ／Ｄ変換器５およびＰＬＬ６に供給される。ＰＬＬ６は、再生信号からクロック信号を抽出し、抽出されたクロックを用いてＡ／Ｄ変換がなされる。Ａ／Ｄ変換器５の出力信号がデコーダ７に供給される。デコーダ７は、Ａ／Ｄ変換器５の出力信号をスレッショルドレベルと比較することによって、２値化された再生データを出力する。デコーダ７からの再生データがシンク検出器８に供給され、データの所定長毎に付加されているシンクを検出器８が検出する。シンク検出器８からの再生データがエラー訂正回路９に供給される。エラー訂正回路９から再生されたデータが出力端子１０に取り出される。
【００１１】
シンク検出器８では、例えばシンクが特定のビットパターンを有することを利用してシンクを検出する。検出されたシンクに基づいて種々のタイミング信号が形成され、再生系の処理の制御にこのタイミング信号が使用される。これと共に、所定期間例えば回転ヘッド型記録／再生装置の場合では、回転ヘッドが設けられたドラムの１回転と対応する期間において検出されたシンク数のデータがＣＰＵ１１に供給される。また、ＣＰＵ１１は、エラー訂正回路９に対して、一定周期でもってＣ１エラーリクエストを発生し、エラー訂正回路９がこのリクエストを受け取ると、ＣＰＵ１１に対して、Ｃ１エラー訂正数を送る。Ｃ１エラー訂正数は、Ｃ１符号を使用してエラー訂正回路９が訂正したエラー数のデータである。
【００１２】
Ｃ１符号は、一般的に積符号に使用される二つのエラー訂正符号の内、記録／再生方向の複数シンボル（後述するディジタルＶＴＲの場合におけるシンクブロック内の複数シンク）に対して施される内符号のことを指す。但し、この発明では、外符号のエラー訂正結果を使用することもでき、また、積符号である必要はない。また、ＣＰＵ１１が発生するエラーリクエストの周期としては、検出シンク数の検出周期と同様に、ドラムの１回転と対応する周期とされる。このエラーリクエストの周期を評価周期と称することにする。
【００１３】
ＣＰＵ１１に対して与えられる、検出シンク数およびＣ１エラー訂正数は、等化器４の等化誤差の評価値として使用される。Ｃ１エラー訂正数は、より詳細には、２種類のデータからなる。その一つは、１シンボル単独エラーであるＣ１単独エラー数であり、他のものは、連続性エラーを含んだ全Ｃ１エラー数である。Ｃ１符号としては、例えば後述するディジタルＶＴＲの例のように、３シンボルエラーまでを訂正できるものが使用される。
【００１４】
Ｃ１単独エラー数は、評価周期内において、Ｃ１符号により訂正される１シンボルエラーの数である。この場合、連続した２以上のシンボルがエラーとなっており、Ｃ１符号により訂正できるものは、１シンボルエラーとして数えるようにしても良い。評価周期内において、１シンボルエラーのシンクブロック数がＣ１単独エラー数である。
【００１５】
全Ｃ１エラー数は、評価値周期内の１シンボル単独エラーと連続エラーとコードエラー（４シンボル以上のエラーのために、Ｃ１符号で訂正できない場合）を含む全エラー数である。コードエラーは、４のエラーとして計数される。評価値周期内において、１シンボルエラーのシンクブロック数をｎ１  とし、２シンボルエラーのシンクブロック数をｎ２  とし、３シンボルエラーのシンクブロック数をｎ３  とし、コードエラーのシンクブロック数をｎ４  とすると、全Ｃ１エラー数は、（ｎ１  ＋２ｎ２  ＋３ｎ３  ＋４ｎ４  ）として求められる。Ｃ１単独エラー数は、ｎ１  である。
【００１６】
ＣＰＵ１１は、後述するように、これらの評価値を受け取って、山登り制御によって、等化器４の振幅特性および／または位相特性を最適なもの（すなわち、等化誤差によるエラーを最小とする）とする等化パラメータを決定する。この等化パラメータが等化器４に対して供給される。振幅および位相を制御する場合には、振幅等化パラメータおよび位相等化パラメータが決定される必要がある。振幅特性および位相特性の一方を変更する場合に、他方を固定しておく必要がある。例えば振幅等化パラメータおよび位相等化パラメータの一方を先に決定してから、他方を決定するようになされる。この他にも両等化パラメータを最適に決定する方法がある。ここでは、簡単のために位相等化パラメータおよび振幅等化パラメータの決定を特に区別しないで説明する。
【００１７】
山登り制御は、ある等化パラメータを設定し、その前後の等化パラメータによる等化誤差（評価値）を調べ、等化パラメータを変化させる方向を決定し、等化誤差が小さくならない状態となるまで、等化パラメータを変化させる制御のことである。この一実施例では、評価値として、検出シンク数、全Ｃ１エラー数、Ｃ１単独エラー数の３種類を選択して使用する。
【００１８】
等化器４の等化誤差は、基本的にはランダムエラーと考えて良く、その意味では、誤差が比較的少ない領域では、評価値としてＣ１単独エラー数が最も適している。この状態から等化誤差が増すに従い、次第に連続性のエラーが増加し、Ｃ１単独エラー数より連続性エラー数が多くなる。このため、この領域では、連続性エラーまたは連続性エラーを含んだ全Ｃ１エラー数が最も感度が良い評価値となる。さらに、等化誤差が大きくなると、コードエラーが殆どとなり、全Ｃ１エラー数の変化が鈍くなる。一方、それまで殆ど変化しなかった検出シンク数が急速に減少する。従って、この領域では、検出シンク数が評価値として感度が最も高いものとなる。このように、等化の状態によって、感度が高い評価値が相違するために、３種類の評価値を切り替えて使用する。
【００１９】
図２は、この発明の一実施例のＣＰＵ１１においてなされる等化器４の自動調整の処理を表すフローチャートである。まず、ステップＳＴ１において、例えば回転ドラムの１回転周期毎に、検出シンク数およびＣ１エラー数（Ｃ１単独エラー数および全Ｃ１エラー数を含む）を読み込む。読み込んだ検出シンク数があるしきい値より少ない場合には、ドロップアウト、ヘッドクロッグ等によってバーストエラーが発生しているものと決定する、バーストエラーチェックがなされる（ステップＳＴ２）。若し、バーストエラーと決定されるならば、等化パラメータの自動調整を適切に行うことができないので、自動調整の処理に入らない。
【００２０】
ステップＳＴ２において、検出シンク数がシンク以上であって、バーストエラーが発生してないものと決定されると、処理がステップＳＴ３に移る。ステップＳＴ３では、評価値の選択の処理がなされる。読み込んだ検出シンク数とＣ１エラー数に基づいて、エラーの状態を３個のレベルに分ける。すなわち、エラーが非常に多い第１のレベル、エラーが非常に少ない第３のレベル、第１および第３のレベルの中間の第２のレベルが識別される。この識別のためには、予め等化状態を実測して、レベル分けのしきい値を求めておく必要がある。
【００２１】
第１のレベルでは、検出シンク数が評価値として使用され、第２のレベルでは、全Ｃ１エラー数が評価値として使用され、第３のレベルでは、Ｃ１単独エラー数が評価値として使用される。現在の評価値を変更する場合には、ステップＳＴ４において評価値が変更され、ステップＳＴ１（検出シンク数、Ｃ１エラー数の読み込み）に戻り、ステップＳＴ２のバーストエラーチェックがなされる。バーストエラーでないと決定されると、今読み込んだ値を現在の等化パラメータの評価値として確定させる（ステップＳＴ５）。
【００２２】
山登り方向を決定するために、現在の等化パラメータを中心に等化パラメータを前後にそれぞれ変更する（ステップＳＴ６）。前側の等化パラメータについて上述と同様にして評価値を確定し、また、後側の等化パラメータについても同様して評価値を確定する。現在、前側、後側の評価値がそれぞれ確定すると、ステップＳＴ５から処理がステップＳＴ７に移る。このステップＳＴ７は、これら（３者）の確定した評価値の大小関係に基づいて、評価値を現在より少なくさせる、等化パラメータを決定する。すなわち、山登り制御の方向を決定する。そして、等化パラメータを更新する（ステップＳＴ８）。
【００２３】
更新のステップＳＴ８の後に、ステップＳＴ９（検出シンク数、Ｃ１エラー数の読み込み）、ステップＳＴ１０（バーストエラーチェック）、ステップＳＴ１１（評価値の選択変更）の処理が順次なされる。そして、ステップＳＴ１１において、評価値の選択、変更を行わないときに、ステップＳＴ１３に処理が移り、更新前後の評価値の大小比較がなされる。
【００２４】
更新後の評価値の方が更新前の評価値よりも小さいならば、すなわち、等化誤差が減少しているならば、ステップＳＴ１３からステップＳＴ８（等化パラメータの更新）に戻り、パラメータを再度同じ方向に更新する。この処理は、更新前の評価値の方が小さくなるまで、繰り返される。更新前の評価値がより小さくなると、この更新前の評価値を生じさせる等化パラメータが最適等化パラメータとして決定される（ステップＳＴ１４）。この最適等化パラメータが決定されると、山登り制御が停止する。
【００２５】
上述した等化器の自動調整の処理は、振幅等化パラメータおよび位相等化パラメータの決定の何れに対しても適用される。また、通常、等化器の自動調整は、再生装置を出荷時に、規準テープを使用してなされる。しかしながら、出荷時に限らず、機器のテスト時等で行うこともできる。
【００２６】
次に、上述したこの発明を適用できる磁気再生装置の具体的な一例として、回転ヘッド型のディジタルＶＴＲについて説明する。図３に示すように、テープ上に斜めトラックが形成される。Ｔ０、Ｔ１は、トラックナンバーを示し、隣接するトラック間のアジマスが相違する傾斜アジマス記録がなされる。図４は、１本のトラックを示す。トラック入口側には、ＩＴＩ（Ｉｎｓｅｒｔ  ａｎｄ  Ｔｒａｃｋ  Ｉｎｆｏｒｍａｔｉｏｎ）なるアフレコを確実に行うためのタイミングブロックが設けられる。これは、それ以降のエリアに書かれたデータをアフレコして書き直す場合に、そのエリアの位置決めを正確にするために設けられるものである。
【００２７】
この例では、コンポジットディジタルカラービデオ信号が輝度信号Ｙ、色差信号ＣＲ  およびＣＢ  からなるコンポーネント信号に変換され、コンポーネント信号がＤＣＴ変換と可変長符号により圧縮され、回転ヘッドにより磁気テープに記録される。記録方式としては、ＳＤ方式（５２５ライン／６０Ｈｚ、６２５ライン／５０Ｈｚ）とＨＤ方式（１１２５ライン／６０Ｈｚ、１２５０ライン／５０Ｈｚ）とが設定できる。
【００２８】
図５に示すように、ＳＤ方式の場合には、１フレーム当たりのトラック数が１０トラック（５２５ライン／６０Ｈｚの場合）とされ、または、図６に示すように、１２トラック（５２５ライン／６０Ｈｚの場合）とされる。図示しないが、ＨＤ方式の場合には、１フレーム当たりのトラック数がＳＤ方式の倍、つまり、２０トラック（１１２５ライン／６０Ｈｚの場合）、または２４トラック（１２５０ライン／５０Ｈｚの場合）である。
【００２９】
図４のトラックフォーマットに示すように、ＩＴＩエリアの後に、ヘッドの走査順に、オーディオデータ、ビデオデータおよびサブコードデータが記録される。ビデオデータおよびオーディオデータを記録するエリアには、それぞれに付加情報を記録するための補助的データ（ＡＵＸ）を書込むエリアが設けられる。ＡＵＸには、記録日時や記録時間などオーディオ、ビデオデータ以外のデータを書込むことができる。サブコードデータ、ＡＵＸ、カセットに内蔵した半導体メモリに記録するデータは、形式を共通とされている。この形式は、パック構造と称される。
【００３０】
オーディオデータ、ビデオデータ、サブコードがそれぞれ記録されるエリアは、それぞれオーディオセクタ、ビデオセクタ、サブコードセクタと呼ばれる。これらのセクタ間には、データを記録していないギャップＧ１、Ｇ２、Ｇ３が配される。オーディオセクタは、プリアンブル（プリシンクブロック）ＰＲ１、データ部（１４シンクブロック）およびポストアンブルＰＯ１（ポストシンクブロッ）からなる。
【００３１】
オーディオシンクブロックは、図７のように、９０バイトで構成される。前半の５バイトは、シンクおよびＩＤデータである。オーディオデータ（７２バイト）およびオーディオＡＵＸ（ＡＡＵＸ）（５バイト）が１シンクブロックに含まれる。このデータが積符号によってエラー訂正符号化される。すなわち、水平方向に整列する７７バイトに対して内符号（Ｃ１符号と称される）の符号化がなされる。具体的には、（８５，７７）リード・ソロモン符号がＣ１符号として使用され、８バイトのＣ１（内符号）パリティが付加される。Ｃ１符号の系列の方向がデータの記録／再生方向である。また、垂直方向に並ぶ９バイトのデータに対して、外符号（Ｃ２符号と称される）のエラー訂正符号化がなされる。具体的には、（１４，９）リード・ソロモン符号がＣ２符号として使用され、５バイトのＣ２（外符号）パリティが付加される。
【００３２】
ビデオセクタは、プリアンブル（プリシンクブロック）ＰＲ２、データ部（１４９シンクブロック）およびポストアンブルＰＯ２（ポストシンクブロッ）からなる。図８は、ビデオセクタの構成を示す。プリアンブルおよびポストアンブルの構成は、図７に示されるオーディオセクタと同様である。ビデオセクタ内に１４９個含まれるビデオシンクブロックは、オーディオシンクブロックと同様に９０バイトで１シンクブロックが構成される。
【００３３】
シンクブロックの先頭の５バイトは、シンクおよびＩＤである。データ部は７７バイトで、オーディオデータと同様の積符号のエラー訂正符号化がなされ。具体的には、（８５，７７）リード・ソロモン符号がＣ１符号として使用され、また、（１４９，１３８）リード・ソロモン符号がＣ２符号として使用される。そして、Ｃ１（内符号）パリティ（８バイト）とＣ２（外符号）パリティ（１１バイト）がそれぞれ付加されている。シンクブロック番号１９および２０の２シンクブロックと、Ｃ２パリティの直前の１シンクブロックはビデオＡＵＸ（ＶＡＵＸ）専用のシンクで、７７バイトのデータはＶＡＵＸデータとして用いられる。ＶＡＵＸおよびＣ２パリティ以外の中央部の１３５シンクブロックは、圧縮されたビデオ信号のビデオデータが格納されるエリアである。
【００３４】
さらに、図９は、サブコードセクタの構成を示す。サブコードセクタのプリアンブル、ポストアンブルには、オーディオセクタやビデオセクタと異なりプリシンクおよびポストシンクが存在しない。サブコードシンクブロックは、１２バイトの長さであり、その前半の５バイトは、シンクおよびＩＤである。続く５バイトはデータ部で、データ部に対しては、Ｃ１符号の符号化のみがなされる。そして、Ｃ１パリティ（２バイト）が付加される。このように、積符号構成は、サブコードでは、採用されていない。これは、サブコードが主として高速サーチ用のものであり、Ｃ２パリティを再生できることが少ないからである。また、２００倍程度まで高速サーチするために、シンク長も１２バイトと短くしてある。サブコードシンクブロックは、１トラック当り１２シンクブロックある。
【００３５】
この発明の一実施例におけるＣ１エラー訂正数は、上述したディジタルＶＴＲの場合では、Ｃ１符号により訂正されたエラー数であり、具体的には、ビデオセクタに関してのＣ１エラー訂正数が使用される。Ｃ１符号は、ブロックシンク毎に符号化されているので、評価値周期（例えばドラムの１回転周期）内で、１シンボルエラーのブロックシンク数をｎ１  とすると、Ｃ１単独エラー数がｎ１  である。また、２シンボルエラーのブロックシンク数をｎ２  とし、３シンボルエラーのブロックシンク数をｎ３  とし、コードエラーのブロックシンク数をｎ４  とすると、全Ｃ１エラー数は、（ｎ１  ＋２ｎ２  ＋３ｎ３  ＋４ｎ４  ）として求められる。なお、２シンボルあるいは３シンボルエラーであっても、ブロックシンク内で連続しているものをＣ１単独エラーとして検出しても良い。また、検出シンク数は、評価値周期内で抽出できたブロックシンクの数である。
【００３６】
【発明の効果】
この発明では、ディジタル信号再生装置における等化器を自動調整する時に、等化状態を複数のレベルに分け、各レベルで最適（等化誤差の変化に対する感度がより高い）な評価値を使用している。従って、この発明は、時間的により迅速な自動等化を行うことができる。
【００３７】
また、等化誤差が少ない領域では、バーストエラー等の外乱に評価値が大きく影響されて、等化誤差に対する評価値の感度が鈍くなるが、この発明は、Ｃ１単独エラー数を評価値として用いるので、バーストエラーの影響を避けることができ、最終的に等化誤差を最小限に抑えることができる。
【００３８】
さらに、検出シンク数を評価値として使用することによって、等化パラメータが最適値よりかなりずれていても、制御の方向を誤ることなく、最適等化パラメータへ素早い引込みが可能となる。
【図面の簡単な説明】
【図１】この発明の一実施例のブロックである。
【図２】この発明による等化器の自動調整処理の一例を説明するためのフローチャートである。
【図３】この発明を適用できるディジタルＶＴＲのトラックパターンを示す略線図である。
【図４】ディジタルＶＴＲの１トラックの構成を説明するための略線図である。
【図５】この発明を適用できるディジタルＶＴＲの１フレームのデータを記録した場合のトラックパターンの一例を示す略線図である。
【図６】この発明を適用できるディジタルＶＴＲの１フレームのデータを記録した場合のトラックパターンの他の例を示す略線図である。
【図７】オーディオデータの１セクタの構成を説明するための略線図である。
【図８】ビデオデータの１セクタの構成を説明するための略線図である。
【図９】サブコードデータの１セクタの構成を説明するための略線図である。
【符号の説明】
１  磁気ヘッド
２  磁気テープ
４  等化器
８  シンク検出器
９  エラー訂正回路
１１  等化パラメータを自動調整するためのＣＰＵ
【図１】
0003593755.tif 000002
【図２】
0003593755.tif 000003
【図３】
0003593755.tif 000004
【図４】
0003593755.tif 000005
【図５】
0003593755.tif 000006
【図６】
0003593755.tif 000007
【図７】
0003593755.tif 000008
【図８】
0003593755.tif 000009
【図９】
0003593755.tif 000010